(57)【要約】【課題】広範囲をむらなく照明することができ、かつ製造コストを削減することが可能な回り灯篭用ＬＥＤ照明具を提供することを目的とするものである。【解決手段】口金上に設けた本体ハウジング内に設けた駆動モータを有する回転駆動部と、該回転駆動部から一定の間隔を置いて設置したＬＥＤ取付用基板と、該基板の上下の面に配置されたそれぞれ複数のＬＥＤ素子と、基板を貫通するとともに、回転駆動部によって回転される回転軸と、該回転軸の上部に固定されて回転するカット面を備えた透明カバーとを備えたことを特徴とする回り灯篭用ＬＥＤ照明具。【選択図】図２
2018041706.tif 000002
【特許請求の範囲】
【請求項１】
口金上に設けた本体ハウジング内に設けた駆動モータを有する回転駆動部と、該回転駆動部から一定の間隔を置いて設置したＬＥＤ取付用基板と、該基板の上下の面に配置されたそれぞれ複数のＬＥＤ素子と、基板を貫通するとともに、回転駆動部によって回転される回転軸と、該回転軸の上部に固定されて回転するカット面を備えた透明カバーとを備えたことを特徴とする回り灯篭用ＬＥＤ照明具。
【請求項２】
前記ＬＥＤ取付用基板は、前記透明カバーの上下方向のほぼ中間に配置され、その上下の面に配置された各ＬＥＤ素子が、それぞれ前記透明カバーの上部と下部とから光を照射するようにしてなることを特徴とする請求項１に記載の回り灯篭用ＬＥＤ照明具。
【請求項３】
前記回転駆動部から一定の間隔を置いて設置したＬＥＤ取付用基板は、前記回転駆動部上に複数本立設された棒状スペーサの頂部に取り付けられていることを特徴とする請求項１または２に記載の回り灯篭用ＬＥＤ照明具。
【請求項４】
前記口金は、前記本体ハウジング内に設けたジョイントボックスを介して前記ＬＥＤ素子および駆動モータに電気接続されていることを特徴とする請求項１ないし３のいずれかに記載の回り灯篭用ＬＥＤ照明具。
【請求項５】
前記透明カバーは、その上端に前記回転軸に取り付けた上蓋が固定されており、ＬＥＤ素子の光が回り灯篭の上部に照射されないようになっていることを特徴とする請求項１ないし４のいずれかに記載の回り灯篭用ＬＥＤ照明具。
【発明の詳細な説明】
【技術分野】
【０００１】
本発明は、回り灯篭に内蔵させたＬＥＤ照明具が回転するようにした回り灯篭用ＬＥＤ照明具に関するものである。
【背景技術】
【０００２】
従来、白熱電球をろうそく等に代えて使用する回転灯篭が市販されている。このような回転灯篭も白熱電球の熱が上昇し、火袋部分（筒状体）の上部に設けたアルミ製の羽根を回して筒状体を回転させることにより光の回転を演出していた。
近年、ＬＥＤ（発光ダイオード）が照明装置の光源として用いられるようになってきている。このＬＥＤは、白熱電球などに比べて長寿命で発熱が少ないため、複数（２個以上）並べて使用することが可能である。
そして特開２０１２−９４２６４号公報（特許文献１参照）や、特開２０１２−２２６９３４号公報（特許文献２参照）のように、ろうそくや白熱電球に代えてＬＥＤ照明具を内蔵させた回り灯篭が提案されてきている。
【先行技術文献】
【特許文献】
【０００３】
【特許文献１】特開２０１２−９４２６４号公報
【特許文献２】特開２０１２−２２６９３４号公報
【発明の概要】
【発明が解決しようとする課題】
【０００４】
しかしながら、発熱量が少ないＬＥＤの場合には、上述のような熱気の上昇気流を用いて筒状体を回転させることは不可能であった。
そのため前記特許文献においては、回り灯篭としての火袋部分の回転を演出するための回転機構がぜんまい等によるものであり、長時間の仕様に変えられるものではなかったのである。
【０００５】
そこで、こうした不都合を解消すべく、駆動モータをＬＥＤ照明具の本体ハウジング内に内蔵させ、火袋内でカット面を備えた透明カバーを駆動モータで回転させることにより、回り灯篭としての火袋部分の回転を演出するようにしたのが本発明である。
【０００６】
したがって本発明は、広範囲をむらなく照明することができ、かつ製造コストを削減することが可能な回り灯篭用ＬＥＤ照明具を提供することを目的とするものである。
【課題を解決するための手段】
【０００７】
すなわち本発明の回り灯篭用ＬＥＤ照明具は、口金上に設けた本体ハウジング内に設けた駆動モータを有する回転駆動部と、該回転駆動部から一定の間隔を置いて設置したＬＥＤ取付用基板と、該基板の上下の面に配置されたそれぞれ複数のＬＥＤ素子と、基板を貫通するとともに、回転駆動部によって回転される回転軸と、該回転軸の上部に固定されて回転するカット面を備えた透明カバーとを備えたことを特徴とするものである。
【０００８】
本発明の回り灯篭用ＬＥＤ照明具において、前記ＬＥＤ取付用基板は、前記透明カバーの上下方向のほぼ中間に配置され、その上下の面に配置された各ＬＥＤ素子が、それぞれ前記透明カバーの上部と下部とから光を照射するようにしてなることをも特徴とするものである。
【０００９】
本発明の回り灯篭用ＬＥＤ照明具において、前記回転駆動部から一定の間隔を置いて設置したＬＥＤ取付用基板は、前記回転駆動部上に複数本立設された棒状スペーサの頂部に取り付けられていることをも特徴とするものである。
【００１０】
本発明の回り灯篭用ＬＥＤ照明具において、前記口金は、前記本体ハウジング内に設けたジョイントボックスを介して前記ＬＥＤ素子および駆動モータに電気接続されていることをも特徴とするものである。
【００１１】
本発明の回り灯篭用ＬＥＤ照明具において、前記透明カバーは、その上端に前記回転軸に取り付けた上蓋が固定されており、ＬＥＤ素子の光が回り灯篭の上部に照射されないようになっていることをも特徴とするものである。
【発明の効果】
【００１２】
請求項１の発明に係る回り灯篭用ＬＥＤ照明具は、ＬＥＤ取付用基板と、該基板の上下の面に配置されたそれぞれ複数のＬＥＤ素子を用いているため、広範囲をバランスよく照明することが可能となる。しかも、カット面を備えた透明カバーを回転させるようにしたため、回り灯篭としての火袋部分の安定した回転を演出することができ、また製造コストを大幅に削減することができる。
【００１３】
請求項２の発明に係る回り灯篭用ＬＥＤ照明具は、前記ＬＥＤ取付用基板が前記透明カバーの上下方向のほぼ中間に配置され、その上下の面に配置された各ＬＥＤ素子が、それぞれ前記透明カバーの上部と下部とから光を照射するようにしたため、ほぼ均等な光で火袋を照射することができる。
【００１４】
請求項３の発明に係る回り灯篭用ＬＥＤ照明具は、前記回転駆動部から一定の間隔を置いて設置したＬＥＤ取付用基板が、前記回転駆動部上に複数本立設された棒状スペーサの頂部に取り付けられているため、火袋を照射する光が遮られて違和感を感じさせることがない。
【００１５】
請求項４の発明に係る回り灯篭用ＬＥＤ照明具は、前記口金が前記本体ハウジング内に設けたジョイントボックスを介して前記ＬＥＤ素子および駆動モータに電気接続されているため、効率的に電気を配線することができる。
【００１６】
請求項５の発明に係る回り灯篭用ＬＥＤ照明具は、前記透明カバーがその上端に前記回転軸に取り付けた上蓋が固定されており、ＬＥＤ素子の光が回り灯篭の上部に照射されないようになっているため、高品質な回り灯篭を提供することができる。
【図面の簡単な説明】
【００１７】
【図１】本発明の回り灯篭用ＬＥＤ照明具の実施の形態に係る発光ダイオードランプを示す側面図である。
【図２】その概略中央縦断面図である。
【図３】ＬＥＤ取付用基板の平面図である。
【図４】透明カバーを外した状態の回り灯篭用ＬＥＤ照明具を示す側面図である。
【図５】透明カバーを取り付ける段階の回り灯篭用ＬＥＤ照明具を示す分解斜視図である。
【図６】透明カバーを取り付けた状態を示す斜視図である。
【図７】その概略中央切断斜視図である。
【図８】本発明の回り灯篭用ＬＥＤ照明具の第１の用例を示す説明図である。
【図９】本発明の回り灯篭用ＬＥＤ照明具の第２の用例を示す説明図である。
【発明を実施するための形態】
【００１８】
図１ないし図７に、本発明の回り灯篭用ＬＥＤ照明具の実施の形態を示す。
すなわち回り灯篭用ＬＥＤ照明具１１は、下端の口金１２上に固定した本体ハウジング１１ａ内に設けた駆動モータ１４を有する回転駆動部１３と、該回転駆動部１３から一定の間隔を置いて設置したＬＥＤ取付用基板１５と、該基板１５の上下の面に配置されたそれぞれ複数のＬＥＤ素子１６と、前記基板１５を貫通するとともに、回転駆動部１３の駆動モータ１４によって回転される回転軸１７と、該回転軸１７の上部に固定されて回転するカット面を備えた透明カバー１８とを備えている。
そしてこのようにＬＥＤ取付用基板１５と、該基板１５の上下の面に配置されたそれぞれ複数のＬＥＤ素子１６を用いているため、広範囲をバランスよく照明することが可能となる。しかも、カット面を備えた透明カバー１８を回転させるようにしたため、回り灯篭としての火袋部分の安定した回転を演出することができ、また製造コストを大幅に削減することができる。
【００１９】
より詳しくは、図１ないし図４に示すように、前記ＬＥＤ取付用基板１５は、前記透明カバー１８の上下方向のほぼ中間に配置され、その上下の面に配置された各ＬＥＤ素子１６が、それぞれ前記透明カバー１８の上部と下部とから光を照射するようになっている。
したがって、各ＬＥＤ素子１６の光は前記透明カバー１８からほぼ均一に外部に投影されるため、回り灯篭としての火袋部分をバランスよく光らせることができるのである。
なお、前記透明カバー１８は、その上端に前記回転軸１７に取り付けた上蓋１９がビス止め等によって固定されており、上部のＬＥＤ素子１６の光が回り灯篭の上部に照射されないようになっている。
【００２０】
また回り灯篭用ＬＥＤ照明具１１の、前記回転駆動部１３から一定の間隔を置いて設置したＬＥＤ取付用基板１５は、前記回転駆動部１３上に複数本立設された棒状スペーサ２１の頂部に取り付けられている。したがって、棒状スペーサ２１によって火袋を照射する光が遮られても、見る方が違和感を感じることはほとんどない。
【００２１】
なお、前記口金１２は、前記本体ハウジング１１ａ内に設けたジョイントボックス２２を介して前記ＬＥＤ素子１６および駆動モータ１４に電気接続されている。
すなわち、前記ジョイントボックス２２で複数に分離された配線２３は、前記棒状スペーサ２１とは別に立設された筒状ガイド２４内を通って前記ＬＥＤ取付用基板１５の上下の各ＬＥＤ素子１６に接続されている。この例では前記ＬＥＤ取付用基板１５の下面から再度筒状ガイド２４内を通って駆動モータ１４に電気接続されている。したがって効率的に電気を配線することができる。
【００２２】
図５ないし図７に回り灯篭用ＬＥＤ照明具１１の組み付け状態を示す。
先ず図５に示すように、前記カット面を備えた透明カバー１８が分離されているが、この透明カバー１８の下部開口部１８ａから前記ＬＥＤ取付用基板１５を挿通して前記本体ハウジング１１ａの上部に取り付けられる。その際、この透明カバー１８は前記回転軸１７の上部にビス止め等の手段で固定される。１９は透明カバー１８の上部を被覆している不透明ないし半透明の上蓋である。
したがって、図６のように回転軸１７を駆動モータ１４を駆動して回転させることにより、前記透明カバー１８が回転してカット面１８ｂによりきらきらと輝くように光が放射される。
【００２３】
図８は第１の用例を示すものであり、ほぼ直管のような筒状の火袋３１を用いた場合である。３２はその際の透明カバー１８から放射される光の範囲を示している。
また図９は第２の用例を示すものであり、ほぼ提灯のような球状の火袋４１を用いた場合である。４２はその際の透明カバー１８から放射される光の範囲を示している。
【産業上の利用可能性】
【００２４】
本発明は、提灯や灯篭のほか、葬祭用に用いられる各種の機器の照明具として、またクラブやスナック等において使用されるミラーボール等にも適用することができる。
また、電球、蛍光灯のような直管型照明器具、シーリングライト、ランタン、植物育成用ライト、冷蔵・冷凍庫内の照明機器、携帯用の懐中電灯、自転車用の前照灯、自動車用の室内灯・車幅灯・方向指示灯・駐車灯など各種のライト、誘導灯、非常灯、警告灯、歯科治療用ライト、水槽用ランプその他の照明装置に広く適用することができる。
【符号の説明】
【００２５】
１１  回り灯篭用ＬＥＤ照明具
１１ａ  本体ハウジング
１２  口金
１３  回転駆動部
１４  駆動モータ
１５  ＬＥＤ取付用基板
１６  ＬＥＤ素子
１７  回転軸
１８  透明カバー
１８ａ  下部開口部
１８ｂ  カット面
１９  上蓋
２１  棒状スペーサ
２２  ジョイントボックス
２３  配線
２４  筒状ガイド
３１  筒状の火袋
３２  光の範囲
４１  球状の火袋
４２  光の範囲
【図１】
2018041706.tif 000003
【図２】
2018041706.tif 000004
【図３】
2018041706.tif 000005
【図４】
2018041706.tif 000006
【図５】
2018041706.tif 000007
【図６】
2018041706.tif 000008
【図７】
2018041706.tif 000009
【図８】
2018041706.tif 000010
【図９】
2018041706.tif 000011
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
口金上に設けた本体ハウジング内に設けた駆動モータを有する回転駆動部と、該回転駆動部から一定の間隔を置いて設置したＬＥＤ取付用基板と、該基板の上下の面に配置されたそれぞれ複数のＬＥＤ素子と、前記基板を貫通するとともに、回転駆動部によって回転される回転軸と、該回転軸の上部に固定されて回転する凹凸状のカット面を周面に備えた透明カバーとを備え、
そして前記ＬＥＤ取付用基板は、前記透明カバーの上下方向のほぼ中間に配置され、その上下の面に配置された各ＬＥＤ素子が、それぞれ前記凹凸状のカット面を周面に備えた透明カバーの上部と下部とから光を照射するようにしてなることを特徴とする回り灯篭用ＬＥＤ照明具。
【請求項２】
前記回転駆動部から一定の間隔を置いて設置したＬＥＤ取付用基板は、前記回転駆動部上に複数本立設された棒状スペーサの頂部に取り付けられていることを特徴とする請求項１に記載の回り灯篭用ＬＥＤ照明具。
【請求項３】
前記口金は、前記本体ハウジング内に設けたジョイントボックスを介して前記ＬＥＤ素子および駆動モータに電気接続されていることを特徴とする請求項１または２に記載の回り灯篭用ＬＥＤ照明具。
【請求項４】
前記透明カバーは、その上端に前記回転軸に取り付けた上蓋が固定されており、ＬＥＤ素子の光が回り灯篭の上部に照射されないようになっていることを特徴とする請求項１ないし３のいずれかに記載の回り灯篭用ＬＥＤ照明具。
【手続補正２】
【補正対象書類名】明細書
【補正対象項目名】全文
【補正方法】変更
【補正の内容】
【発明の詳細な説明】
【技術分野】
【０００１】
本発明は、回り灯篭に内蔵させたＬＥＤ照明具が回転するようにした回り灯篭用ＬＥＤ照明具に関するものである。
【背景技術】
【０００２】
従来、白熱電球をろうそく等に代えて使用する回転灯篭が市販されている。このような回転灯篭も白熱電球の熱が上昇し、火袋部分（筒状体）の上部に設けたアルミ製の羽根を回して筒状体を回転させることにより光の回転を演出していた。
近年、ＬＥＤ（発光ダイオード）が照明装置の光源として用いられるようになってきている。このＬＥＤは、白熱電球などに比べて長寿命で発熱が少ないため、複数（２個以上）並べて使用することが可能である。
そして特開２０１２−９４２６４号公報（特許文献１参照）や、特開２０１２−２２６９３４号公報（特許文献２参照）のように、ろうそくや白熱電球に代えてＬＥＤ照明具を内蔵させた回り灯篭が提案されてきている。
【先行技術文献】
【特許文献】
【０００３】
【特許文献１】特開２０１２−９４２６４号公報
【特許文献２】特開２０１２−２２６９３４号公報
【発明の概要】
【発明が解決しようとする課題】
【０００４】
しかしながら、発熱量が少ないＬＥＤの場合には、上述のような熱気の上昇気流を用いて筒状体を回転させることは不可能であった。
そのため前記特許文献においては、回り灯篭としての火袋部分の回転を演出するための回転機構がぜんまい等によるものであり、長時間の仕様に変えられるものではなかったのである。
【０００５】
そこで、こうした不都合を解消すべく、駆動モータをＬＥＤ照明具の本体ハウジング内に内蔵させ、火袋内で凹凸状のカット面を周面に備えた透明カバーを駆動モータで回転させることにより、回り灯篭としての火袋部分の回転を演出するようにしたのが本発明である。
【０００６】
したがって本発明は、広範囲をむらなく照明することができ、かつ製造コストを削減することが可能な回り灯篭用ＬＥＤ照明具を提供することを目的とするものである。
【課題を解決するための手段】
【０００７】
すなわち本発明の回り灯篭用ＬＥＤ照明具は、口金上に設けた本体ハウジング内に設けた駆動モータを有する回転駆動部と、該回転駆動部から一定の間隔を置いて設置したＬＥＤ取付用基板と、該基板の上下の面に配置されたそれぞれ複数のＬＥＤ素子と、前記基板を貫通するとともに、回転駆動部によって回転される回転軸と、該回転軸の上部に固定されて回転する凹凸状のカット面を周面に備えた透明カバーとを備え、
そして前記ＬＥＤ取付用基板は、前記透明カバーの上下方向のほぼ中間に配置され、その上下の面に配置された各ＬＥＤ素子が、それぞれ前記凹凸状のカット面を周面に備えた透明カバーの上部と下部とから光を照射するようにしてなることを特徴とするものである。
【０００８】
本発明の回り灯篭用ＬＥＤ照明具において、前記回転駆動部から一定の間隔を置いて設置したＬＥＤ取付用基板は、前記回転駆動部上に複数本立設された棒状スペーサの頂部に取り付けられていることをも特徴とするものである。
【０００９】
本発明の回り灯篭用ＬＥＤ照明具において、前記口金は、前記本体ハウジング内に設けたジョイントボックスを介して前記ＬＥＤ素子および駆動モータに電気接続されていることをも特徴とするものである。
【００１０】
本発明の回り灯篭用ＬＥＤ照明具において、前記透明カバーは、その上端に前記回転軸に取り付けた上蓋が固定されており、ＬＥＤ素子の光が回り灯篭の上部に照射されないようになっていることをも特徴とするものである。
【発明の効果】
【００１１】
請求項１の発明に係る回り灯篭用ＬＥＤ照明具は、ＬＥＤ取付用基板と、該基板の上下の面に配置されたそれぞれ複数のＬＥＤ素子を用いているため、広範囲をバランスよく照明することが可能となる。しかも、凹凸状のカット面を周面に備えた透明カバーを回転させるようにしたため、回り灯篭としての火袋部分の安定した回転を演出することができ、また製造コストを大幅に削減することができる。
【００１２】
請求項２の発明に係る回り灯篭用ＬＥＤ照明具は、前記ＬＥＤ取付用基板が前記透明カバーの上下方向のほぼ中間に配置され、その上下の面に配置された各ＬＥＤ素子が、それぞれ前記透明カバーの上部と下部とから光を照射するようにしたため、ほぼ均等な光で火袋を照射することができる。
【００１３】
請求項３の発明に係る回り灯篭用ＬＥＤ照明具は、前記回転駆動部から一定の間隔を置いて設置したＬＥＤ取付用基板が、前記回転駆動部上に複数本立設された棒状スペーサの頂部に取り付けられているため、火袋を照射する光が遮られて違和感を感じさせることがない。
【００１４】
請求項４の発明に係る回り灯篭用ＬＥＤ照明具は、前記口金が前記本体ハウジング内に設けたジョイントボックスを介して前記ＬＥＤ素子および駆動モータに電気接続されているため、効率的に電気を配線することができる。
【００１５】
請求項５の発明に係る回り灯篭用ＬＥＤ照明具は、前記透明カバーがその上端に前記回転軸に取り付けた上蓋が固定されており、ＬＥＤ素子の光が回り灯篭の上部に照射されないようになっているため、高品質な回り灯篭を提供することができる。
【図面の簡単な説明】
【００１６】
【図１】本発明の回り灯篭用ＬＥＤ照明具の実施の形態に係る発光ダイオードランプを示す側面図である。
【図２】その概略中央縦断面図である。
【図３】ＬＥＤ取付用基板の平面図である。
【図４】透明カバーを外した状態の回り灯篭用ＬＥＤ照明具を示す側面図である。
【図５】透明カバーを取り付ける段階の回り灯篭用ＬＥＤ照明具を示す分解斜視図である。
【図６】透明カバーを取り付けた状態を示す斜視図である。
【図７】その概略中央切断斜視図である。
【図８】本発明の回り灯篭用ＬＥＤ照明具の第１の用例を示す説明図である。
【図９】本発明の回り灯篭用ＬＥＤ照明具の第２の用例を示す説明図である。
【発明を実施するための形態】
【００１７】
図１ないし図７に、本発明の回り灯篭用ＬＥＤ照明具の実施の形態を示す。
すなわち回り灯篭用ＬＥＤ照明具１１は、下端の口金１２上に固定した本体ハウジング１１ａ内に設けた駆動モータ１４を有する回転駆動部１３と、該回転駆動部１３から一定の間隔を置いて設置したＬＥＤ取付用基板１５と、該基板１５の上下の面に配置されたそれぞれ複数のＬＥＤ素子１６と、前記基板１５を貫通するとともに、回転駆動部１３の駆動モータ１４によって回転される回転軸１７と、該回転軸１７の上部に固定されて回転する凹凸状のカット面を周面に備えた透明カバー１８とを備えている。
そしてこのようにＬＥＤ取付用基板１５と、該基板１５の上下の面に配置されたそれぞれ複数のＬＥＤ素子１６を用いているため、広範囲をバランスよく照明することが可能となる。しかも、前記凹凸状のカット面を周面に備えた透明カバー１８を回転させるようにしたため、回り灯篭としての火袋部分の安定した回転を演出することができ、また製造コストを大幅に削減することができる。
【００１８】
より詳しくは、図１ないし図４に示すように、前記ＬＥＤ取付用基板１５は、前記透明カバー１８の上下方向のほぼ中間に配置され、その上下の面に配置された各ＬＥＤ素子１６が、それぞれ前記透明カバー１８の上部と下部とから光を照射するようになっている。
したがって、各ＬＥＤ素子１６の光は前記透明カバー１８からほぼ均一に外部に投影されるため、回り灯篭としての火袋部分をバランスよく光らせることができるのである。
なお、前記透明カバー１８は、その上端に前記回転軸１７に取り付けた上蓋１９がビス止め等によって固定されており、上部のＬＥＤ素子１６の光が回り灯篭の上部に照射されないようになっている。
【００１９】
また回り灯篭用ＬＥＤ照明具１１の、前記回転駆動部１３から一定の間隔を置いて設置したＬＥＤ取付用基板１５は、前記回転駆動部１３上に複数本立設された棒状スペーサ２１の頂部に取り付けられている。したがって、棒状スペーサ２１によって火袋を照射する光が遮られても、見る方が違和感を感じることはほとんどない。
【００２０】
なお、前記口金１２は、前記本体ハウジング１１ａ内に設けたジョイントボックス２２を介して前記ＬＥＤ素子１６および駆動モータ１４に電気接続されている。
すなわち、前記ジョイントボックス２２で複数に分離された配線２３は、前記棒状スペーサ２１とは別に立設された筒状ガイド２４内を通って前記ＬＥＤ取付用基板１５の上下の各ＬＥＤ素子１６に接続されている。この例では前記ＬＥＤ取付用基板１５の下面から再度筒状ガイド２４内を通って駆動モータ１４に電気接続されている。したがって効率的に電気を配線することができる。
【００２１】
図５ないし図７に回り灯篭用ＬＥＤ照明具１１の組み付け状態を示す。
先ず図５に示すように、前記凹凸状のカット面を周面に備えた透明カバー１８が分離されているが、この透明カバー１８の下部開口部１８ａから前記ＬＥＤ取付用基板１５を挿通して前記本体ハウジング１１ａの上部に取り付けられる。その際、この透明カバー１８は前記回転軸１７の上部にビス止め等の手段で固定される。１９は透明カバー１８の上部を被覆している不透明ないし半透明の上蓋である。
したがって、図６のように回転軸１７を駆動モータ１４を駆動して回転させることにより、前記透明カバー１８が回転して前記凹凸状のカット面１８ｂによりきらきらと輝くように光が放射される。
【００２２】
図８は第１の用例を示すものであり、ほぼ直管のような筒状の火袋３１を用いた場合である。３２はその際の透明カバー１８から放射される光の範囲を示している。
また図９は第２の用例を示すものであり、ほぼ提灯のような球状の火袋４１を用いた場合である。４２はその際の透明カバー１８から放射される光の範囲を示している。
【産業上の利用可能性】
【００２３】
本発明は、提灯や灯篭のほか、葬祭用に用いられる各種の機器の照明具として、またクラブやスナック等において使用されるミラーボール等にも適用することができる。
また、電球、蛍光灯のような直管型照明器具、シーリングライト、ランタン、植物育成用ライト、冷蔵・冷凍庫内の照明機器、携帯用の懐中電灯、自転車用の前照灯、自動車用の室内灯・車幅灯・方向指示灯・駐車灯など各種のライト、誘導灯、非常灯、警告灯、歯科治療用ライト、水槽用ランプその他の照明装置に広く適用することができる。
【符号の説明】
【００２４】
１１  回り灯篭用ＬＥＤ照明具
１１ａ  本体ハウジング
１２  口金
１３  回転駆動部
１４  駆動モータ
１５  ＬＥＤ取付用基板
１６  ＬＥＤ素子
１７  回転軸
１８  透明カバー
１８ａ  下部開口部
１８ｂ  凹凸状のカット面
１９  上蓋
２１  棒状スペーサ
２２  ジョイントボックス
２３  配線
２４  筒状ガイド
３１  筒状の火袋
３２  光の範囲
４１  球状の火袋
４２  光の範囲
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
照明具用のソケットに装着可能な口金上に設けた本体ハウジング内に設けた駆動モータを有する回転駆動部と、該回転駆動部から一定の間隔を置いて設置したＬＥＤ取付用基板と、該基板の上下の面に配置されたそれぞれ複数のＬＥＤ素子と、前記基板を貫通するとともに、回転駆動部によって回転される回転軸と、該回転軸の上部に固定されて回転する凹凸状のカット面を周面に備えた透明カバーとを備え、
そして前記ＬＥＤ取付用基板は、前記透明カバーの上下方向のほぼ中間に配置され、その上下の面に配置された各ＬＥＤ素子が、それぞれ前記凹凸状のカット面を周面に備えた透明カバーの上部と下部とから光を照射するようにしてなることを特徴とする回り灯篭用ＬＥＤ照明具。
【請求項２】
前記回転駆動部から一定の間隔を置いて設置したＬＥＤ取付用基板は、前記回転駆動部上に複数本立設された棒状スペーサの頂部に取り付けられていることを特徴とする請求項１に記載の回り灯篭用ＬＥＤ照明具。
【請求項３】
前記口金は、前記本体ハウジング内に設けたジョイントボックスを介して前記ＬＥＤ素子および駆動モータに電気接続されていることを特徴とする請求項１または２に記載の回り灯篭用ＬＥＤ照明具。
【請求項４】
前記透明カバーは、その上端に前記回転軸に取り付けた上蓋が固定されており、ＬＥＤ素子の光が回り灯篭の上部に照射されないようになっていることを特徴とする請求項１ないし３のいずれかに記載の回り灯篭用ＬＥＤ照明具。
【手続補正２】
【補正対象書類名】明細書
【補正対象項目名】全文
【補正方法】変更
【補正の内容】
【発明の詳細な説明】
【技術分野】
【０００１】
本発明は、回り灯篭に内蔵させたＬＥＤ照明具が回転するようにした回り灯篭用ＬＥＤ照明具に関するものである。
【背景技術】
【０００２】
従来、白熱電球をろうそく等に代えて使用する回転灯篭が市販されている。このような回転灯篭も白熱電球の熱が上昇し、火袋部分（筒状体）の上部に設けたアルミ製の羽根を回して筒状体を回転させることにより光の回転を演出していた。
近年、ＬＥＤ（発光ダイオード）が照明装置の光源として用いられるようになってきている。このＬＥＤは、白熱電球などに比べて長寿命で発熱が少ないため、複数（２個以上）並べて使用することが可能である。
そして特開２０１２−９４２６４号公報（特許文献１参照）や、特開２０１２−２２６９３４号公報（特許文献２参照）のように、ろうそくや白熱電球に代えてＬＥＤ照明具を内蔵させた回り灯篭が提案されてきている。
【先行技術文献】
【特許文献】
【０００３】
【特許文献１】特開２０１２−９４２６４号公報
【特許文献２】特開２０１２−２２６９３４号公報
【発明の概要】
【発明が解決しようとする課題】
【０００４】
しかしながら、発熱量が少ないＬＥＤの場合には、上述のような熱気の上昇気流を用いて筒状体を回転させることは不可能であった。
そのため前記特許文献においては、回り灯篭としての火袋部分の回転を演出するための回転機構がぜんまい等によるものであり、長時間の仕様に変えられるものではなかったのである。
【０００５】
そこで、こうした不都合を解消すべく、駆動モータをＬＥＤ照明具の本体ハウジング内に内蔵させ、火袋内で凹凸状のカット面を周面に備えた透明カバーを駆動モータで回転させることにより、回り灯篭としての火袋部分の回転を演出するようにしたのが本発明である。
【０００６】
したがって本発明は、広範囲をむらなく照明することができ、かつ製造コストを削減することが可能な回り灯篭用ＬＥＤ照明具を提供することを目的とするものである。
【課題を解決するための手段】
【０００７】
すなわち本発明の回り灯篭用ＬＥＤ照明具は、照明具用のソケットに装着可能な口金上に設けた本体ハウジング内に設けた駆動モータを有する回転駆動部と、該回転駆動部から一定の間隔を置いて設置したＬＥＤ取付用基板と、該基板の上下の面に配置されたそれぞれ複数のＬＥＤ素子と、前記基板を貫通するとともに、回転駆動部によって回転される回転軸と、該回転軸の上部に固定されて回転する凹凸状のカット面を周面に備えた透明カバーとを備え、
そして前記ＬＥＤ取付用基板は、前記透明カバーの上下方向のほぼ中間に配置され、その上下の面に配置された各ＬＥＤ素子が、それぞれ前記凹凸状のカット面を周面に備えた透明カバーの上部と下部とから光を照射するようにしてなることを特徴とするものである。
【０００８】
本発明の回り灯篭用ＬＥＤ照明具において、前記回転駆動部から一定の間隔を置いて設置したＬＥＤ取付用基板は、前記回転駆動部上に複数本立設された棒状スペーサの頂部に取り付けられていることをも特徴とするものである。
【０００９】
本発明の回り灯篭用ＬＥＤ照明具において、前記口金は、前記本体ハウジング内に設けたジョイントボックスを介して前記ＬＥＤ素子および駆動モータに電気接続されていることをも特徴とするものである。
【００１０】
本発明の回り灯篭用ＬＥＤ照明具において、前記透明カバーは、その上端に前記回転軸に取り付けた上蓋が固定されており、ＬＥＤ素子の光が回り灯篭の上部に照射されないようになっていることをも特徴とするものである。
【発明の効果】
【００１１】
請求項１の発明に係る回り灯篭用ＬＥＤ照明具は、ＬＥＤ取付用基板と、該基板の上下の面に配置されたそれぞれ複数のＬＥＤ素子を用いているため、広範囲をバランスよく照明することが可能となる。しかも、凹凸状のカット面を周面に備えた透明カバーを回転させるようにしたため、回り灯篭としての火袋部分の安定した回転を演出することができ、また製造コストを大幅に削減することができる。
【００１２】
請求項２の発明に係る回り灯篭用ＬＥＤ照明具は、前記ＬＥＤ取付用基板が前記透明カバーの上下方向のほぼ中間に配置され、その上下の面に配置された各ＬＥＤ素子が、それぞれ前記透明カバーの上部と下部とから光を照射するようにしたため、ほぼ均等な光で火袋を照射することができる。
【００１３】
請求項３の発明に係る回り灯篭用ＬＥＤ照明具は、前記回転駆動部から一定の間隔を置いて設置したＬＥＤ取付用基板が、前記回転駆動部上に複数本立設された棒状スペーサの頂部に取り付けられているため、火袋を照射する光が遮られて違和感を感じさせることがない。
【００１４】
請求項４の発明に係る回り灯篭用ＬＥＤ照明具は、前記口金が前記本体ハウジング内に設けたジョイントボックスを介して前記ＬＥＤ素子および駆動モータに電気接続されているため、効率的に電気を配線することができる。
【００１５】
請求項５の発明に係る回り灯篭用ＬＥＤ照明具は、前記透明カバーがその上端に前記回転軸に取り付けた上蓋が固定されており、ＬＥＤ素子の光が回り灯篭の上部に照射されないようになっているため、高品質な回り灯篭を提供することができる。
【図面の簡単な説明】
【００１６】
【図１】本発明の回り灯篭用ＬＥＤ照明具の実施の形態に係る発光ダイオードランプを示す側面図である。
【図２】その概略中央縦断面図である。
【図３】ＬＥＤ取付用基板の平面図である。
【図４】透明カバーを外した状態の回り灯篭用ＬＥＤ照明具を示す側面図である。
【図５】透明カバーを取り付ける段階の回り灯篭用ＬＥＤ照明具を示す分解斜視図である。
【図６】透明カバーを取り付けた状態を示す斜視図である。
【図７】その概略中央切断斜視図である。
【図８】本発明の回り灯篭用ＬＥＤ照明具の第１の用例を示す説明図である。
【図９】本発明の回り灯篭用ＬＥＤ照明具の第２の用例を示す説明図である。
【発明を実施するための形態】
【００１７】
図１ないし図７に、本発明の回り灯篭用ＬＥＤ照明具の実施の形態を示す。
すなわち回り灯篭用ＬＥＤ照明具１１は、照明具用のソケットに装着可能な下端の口金１２上に固定した本体ハウジング１１ａ内に設けた駆動モータ１４を有する回転駆動部１３と、該回転駆動部１３から一定の間隔を置いて設置したＬＥＤ取付用基板１５と、該基板１５の上下の面に配置されたそれぞれ複数のＬＥＤ素子１６と、前記基板１５を貫通するとともに、回転駆動部１３の駆動モータ１４によって回転される回転軸１７と、該回転軸１７の上部に固定されて回転する凹凸状のカット面を周面に備えた透明カバー１８とを備えている。
そしてこのようにＬＥＤ取付用基板１５と、該基板１５の上下の面に配置されたそれぞれ複数のＬＥＤ素子１６を用いているため、広範囲をバランスよく照明することが可能となる。しかも、前記凹凸状のカット面を周面に備えた透明カバー１８を回転させるようにしたため、回り灯篭としての火袋部分の安定した回転を演出することができ、また製造コストを大幅に削減することができる。
【００１８】
より詳しくは、図１ないし図４に示すように、前記ＬＥＤ取付用基板１５は、前記透明カバー１８の上下方向のほぼ中間に配置され、その上下の面に配置された各ＬＥＤ素子１６が、それぞれ前記透明カバー１８の上部と下部とから光を照射するようになっている。
したがって、各ＬＥＤ素子１６の光は前記透明カバー１８からほぼ均一に外部に投影されるため、回り灯篭としての火袋部分をバランスよく光らせることができるのである。
なお、前記透明カバー１８は、その上端に前記回転軸１７に取り付けた上蓋１９がビス止め等によって固定されており、上部のＬＥＤ素子１６の光が回り灯篭の上部に照射されないようになっている。
【００１９】
また回り灯篭用ＬＥＤ照明具１１の、前記回転駆動部１３から一定の間隔を置いて設置したＬＥＤ取付用基板１５は、前記回転駆動部１３上に複数本立設された棒状スペーサ２１の頂部に取り付けられている。したがって、棒状スペーサ２１によって火袋を照射する光が遮られても、見る方が違和感を感じることはほとんどない。
【００２０】
なお、前記口金１２は、前記本体ハウジング１１ａ内に設けたジョイントボックス２２を介して前記ＬＥＤ素子１６および駆動モータ１４に電気接続されている。
すなわち、前記ジョイントボックス２２で複数に分離された配線２３は、前記棒状スペーサ２１とは別に立設された筒状ガイド２４内を通って前記ＬＥＤ取付用基板１５の上下の各ＬＥＤ素子１６に接続されている。この例では前記ＬＥＤ取付用基板１５の下面から再度筒状ガイド２４内を通って駆動モータ１４に電気接続されている。したがって効率的に電気を配線することができる。
【００２１】
図５ないし図７に回り灯篭用ＬＥＤ照明具１１の組み付け状態を示す。
先ず図５に示すように、前記凹凸状のカット面を周面に備えた透明カバー１８が分離されているが、この透明カバー１８の下部開口部１８ａから前記ＬＥＤ取付用基板１５を挿通して前記本体ハウジング１１ａの上部に取り付けられる。その際、この透明カバー１８は前記回転軸１７の上部にビス止め等の手段で固定される。１９は透明カバー１８の上部を被覆している不透明ないし半透明の上蓋である。
したがって、図６のように回転軸１７を駆動モータ１４を駆動して回転させることにより、前記透明カバー１８が回転して前記凹凸状のカット面１８ｂによりきらきらと輝くように光が放射される。
【００２２】
図８は第１の用例を示すものであり、ほぼ直管のような筒状の火袋３１を用いた場合である。３２はその際の透明カバー１８から放射される光の範囲を示している。
また図９は第２の用例を示すものであり、ほぼ提灯のような球状の火袋４１を用いた場合である。４２はその際の透明カバー１８から放射される光の範囲を示している。
【産業上の利用可能性】
【００２３】
本発明は、提灯や灯篭のほか、葬祭用に用いられる各種の機器の照明具として、またクラブやスナック等において使用されるミラーボール等にも適用することができる。
また、電球、蛍光灯のような直管型照明器具、シーリングライト、ランタン、植物育成用ライト、冷蔵・冷凍庫内の照明機器、携帯用の懐中電灯、自転車用の前照灯、自動車用の室内灯・車幅灯・方向指示灯・駐車灯など各種のライト、誘導灯、非常灯、警告灯、歯科治療用ライト、水槽用ランプその他の照明装置に広く適用することができる。
【符号の説明】
【００２４】
１１  回り灯篭用ＬＥＤ照明具
１１ａ  本体ハウジング
１２  口金
１３  回転駆動部
１４  駆動モータ
１５  ＬＥＤ取付用基板
１６  ＬＥＤ素子
１７  回転軸
１８  透明カバー
１８ａ  下部開口部
１８ｂ  凹凸状のカット面
１９  上蓋
２１  棒状スペーサ
２２  ジョイントボックス
２３  配線
２４  筒状ガイド
３１  筒状の火袋
３２  光の範囲
４１  球状の火袋
４２  光の範囲